(57)【要約】【課題】収納ケース内にサーバブレードなどの各種ユニットを人手で増設する場合に、ルールに合った正確な位置のスロットに迅速に実装させることを可能にするサーバシステムを提供する。【解決手段】複数のスロット１０１〜１２４，２０１〜２１２，３０１〜３０４にサーバブレード２，冷却ファンユニット３，電源ユニット４の各ユニットを実装する際に、実装前に装置情報受信手段１２が実装対象ユニットに保持された装置情報を読み取り、管理手段１１が装置情報及び予め記憶された搭載ルール情報から実装対象ユニットの最適な実装位置であるスロットを決定して、決定されたスロットに対応する表示手段４０１〜４２４，５０１〜５１２，６０１〜６０４のいずれかが青色に点灯する。【選択図】図１
2009187123.tif 000002
【特許請求の範囲】
【請求項１】
複数のスロットを有する収納ケースと、この各スロットに個別に実装される１または２以上の種類のユニットとから成るサーバシステムにおいて、
前記各ユニットは、各自の識別情報を含む装置情報を無線回線を介して前記収納ケース側へ送信する装置情報送信手段を備え、
前記収納ケースは、予め定められた搭載ルール情報を記憶した搭載ルール記憶手段と、前記スロットに実装されようとしている実装対象ユニットから送信される装置情報を受信する装置情報受信手段と、この受信された装置情報と前記搭載ルール情報とに基づいて前記実装対象ユニットを実装可能なスロット位置を決定する管理手段と、この管理手段に決定されたスロット位置を表示する表示手段とを備えたことを特徴とするサーバシステム。
【請求項２】
前記請求項１に記載のサーバシステムにおいて、
前記管理手段は、前記搭載ルール情報に基づいて前記実装対象ユニットを実装するのに最適なスロット位置を決定する機能を備えたことを特徴とするサーバシステム。
【請求項３】
前記請求項２に記載のサーバシステムにおいて、
前記表示手段は、前記複数のスロットに対応して複数装備されており、対応するスロットが前記管理手段に決定されたスロット位置である場合に、この対応するスロットが決定されたスロット位置であることを表示することを特徴とするサーバシステム。
【請求項４】
前記請求項３に記載のサーバシステムにおいて、
前記管理手段は、前記各スロットに前記ユニットが実装されたか否かを検知する機能を備え、前記表示手段は、前記管理手段に前記ユニットの実装を検知されたスロット位置を表示する機能を備えたことを特徴とするサーバシステム。
【請求項５】
前記請求項４に記載のサーバシステムにおいて、
前記表示手段は、点灯／消灯する手段であると共に、対応するスロット位置が前記管理手段に決定されたスロット位置である場合にその決定されたことを点灯または消灯して表示することを特徴とするサーバシステム。
【請求項６】
前記請求項５に記載のサーバシステムにおいて、
前記表示手段は、複数の色に変化して点灯する機能を備えると共に、対応するスロットが前記管理手段に決定されたスロット位置である場合にその決定されたことを色で表示することを特徴とするサーバシステム。
【請求項７】
前記請求項６に記載のサーバシステムにおいて、
前記表示手段は、対応するスロットが前記管理手段によって前記実装対象ユニットを実装可能なスロット位置に決定された場合と実装するのに最適なスロット位置に決定された場合とで異なる色に点灯することを特徴とするサーバシステム。
【請求項８】
前記請求項１乃至７のいずれか一項に記載のサーバシステムにおいて、
前記管理手段は、前記装置情報受信手段から複数の装置情報を入力し、この複数の装置情報に係る複数のユニットの実装順序を前記搭載ルール情報に基づいて決定する機能を備え、
前記表示手段は、前記管理手段に決定された実装順序を表示する機能を備えたことを特徴とするサーバシステム。
【請求項９】
複数のスロットを有する収納ケースと、この各スロットに個別に実装される１または２以上の種類のユニットとから成るサーバシステムにあって、
前記スロットに実装されようとしている実装対象ユニットからの装置情報を無線回線を介して取得する装置情報取得ステップと、
この取得した装置情報と予め記憶された搭載ルール情報とに基づいて前記実装対象ユニットを実装可能なスロット位置を決定する実装位置決定ステップと、
この実装位置決定ステップで決定されたスロット位置を表示する実装位置表示ステップとを設けたことを特徴とする実装スロット案内方法。
【請求項１０】
前記請求項９に記載の実装スロット案内方法において、
前記実装位置決定ステップでは、前記搭載ルール情報に基づいて前記実装対象ユニットを実装するのに最適なスロット位置を決定することを特徴とする実装スロット案内方法。
【請求項１１】
前記請求項１０に記載の実装スロット案内方法において、
前記各スロットに前記ユニットが実装されたか否かを検知する実装済みスロット検出ステップと、
前記表示手段が、前記ユニットが実装されたスロット位置を表示する実装済み情報表示ステップとを設けたことを特徴とする実装スロット案内方法。
【請求項１２】
前記請求項９乃至１１のいずれか一項に記載の実装スロット案内方法において、
前記実装位置決定ステップでは、前記装置情報取得ステップで複数の装置情報を取得した場合に、この複数の装置情報に係る複数のユニットの実装順序及び実装位置を前記搭載ルール情報に基づいて決定し、
前記実装位置表示ステップでは、前記実装位置決定ステップで決定された実装順序及び実装位置を表示することを特徴とする実装スロット案内方法。
【請求項１３】
複数のスロットを有する収納ケースと、この各スロットに個別に実装される１または２以上の種類のユニットとから成るサーバシステムにあって、
前記スロットに実装されようとしている実装対象ユニットの装置情報を取得する装置情報取得機能と、
この取得された装置情報と予め記憶された搭載ルール情報とに基づいて前記実装対象ユニットを実装可能なスロット位置を決定する実装位置決定機能と、
この実装位置決定機能で決定されたスロット位置を表示するように表示手段を制御する実装位置表示機能とをコンピュータに実行させることを特徴とする実装スロット案内用プログラム。
【請求項１４】
前記請求項１３に記載の実装スロット案内用プログラムにおいて、
実装位置決定機能は、前記搭載ルール情報に基づいて前記実装対象ユニットを実装するのに最適なスロットを決定する機能であることを特徴とする実装スロット案内用プログラム。
【請求項１５】
前記請求項１４に記載の実装スロット案内用プログラムにおいて、
前記各スロットに前記ユニットが実装されたか否かを検知する実装済みスロット検出機能と、
前記ユニットが実装されたスロット位置を表示するように前記表示機能を制御する実装済み情報表示機能とを前記コンピュータに実行させることを特徴とする実装スロット案内用プログラム。
【請求項１６】
前記請求項１３乃至１５のいずれか一項に記載の実装スロット案内用プログラムにおいて、
前記装置情報取得機能で複数の装置情報を取得した場合に、この複数の装置情報に係る複数のユニットの実装順序を前記搭載ルール情報に基づいて決定する実装順序決定機能と、前記実装位置決定機能で決定された実装順序を表示するように前記表示手段を制御する実装順序表示機能とを前記コンピュータに実行させることを特徴とする実装スロット案内用プログラム。
【発明の詳細な説明】
【技術分野】
【０００１】
本発明は、各種ユニットを筐体内のスロットに実装して構成されるサーバシステムと、その各ユニットを実装すべきスロットの位置を作業員に案内する実装スロット案内方法，実装スロット案内用プログラムに関する。
【背景技術】
【０００２】
１つの筐体内に複数のサーバが収納されたサーバシステムに関する技術において、サーバの機能を実現する要素を１枚の基板に全て実装したサーバブレードを収納ケースに複数枚収納した構成のブレードサーバが知られている。このブレードサーバでは、複数枚のサーバブレードのほかに冷却ファンユニットや電源ユニットなどの各種ユニットが収納ケース内のスロットに装填されている。
【０００３】
ブレードサーバにおいて、サーバブレード，冷却ファンユニット，電源ユニットなどの各種ユニットを新たに実装する場合、実装する順序や位置にルールが決まっており、そのルールに従って実装しないと、サーバブレードが十分に冷却されないといった不具合や、サーバブレードへの電源容量が十分に確保できないといった不具合などが発生してブレードサーバ全体の動作を不安定にしてしまう。また、サーバブレードをルールに従った位置に実装しないと、実装したサーバブレードが正常に機能しなかったり期待している機能が十分に使用できなかったりなどの問題が発生することがある。
【０００４】
通常、ブレードサーバに各種ユニットを増設する場合、作業員がマニュアルに記載された搭載ルールに従って実装するスロットの位置を選択して作業を行っているが、作業員が搭載ルールを間違えて解釈していた場合や作業員が参照したマニュアルの搭載ルールと実際の搭載ルールが変更されている場合などには、作業手順の間違いが発生し、システムを不安定にさせ、最悪の場合システムをダウンさせてしまう可能性があった。
【０００５】
ブレードサーバの正常な動作を維持させるためにブレードサーバのシステムを管理する従来技術が、特許文献１乃至３に開示されており、特許文献３には、パッケージ（サーバブレード）が適正なスロットに実装されたか否かを検出して誤った位置にパッケージが実装されると警報を発信する技術が開示されている。
【０００６】
【特許文献１】特開２００５−３３９５２８号公報
【特許文献２】特開２００６−２７７０３３号公報
【特許文献３】特開平８−１５３９９８号公報
【発明の開示】
【発明が解決しようとする課題】
【０００７】
しかしながら、特許文献１乃至３に開示された技術は、収納ケースに既に実装されている各種ユニットについて管理しているだけなので、ブレードサーバに各種ユニットを新たに増設する場合に、実装するスロットの位置が作業員の判断によって決定されることに変わりは無い。特許文献３に開示された技術のように警報が発信されるように構成すれば、間違った順序，位置にユニットを実装してしまう可能性は軽減されるが、最終的に実装位置を決定するのは作業員であるため、既に実装されている各種ユニットの位置と複雑な搭載ルールとに従って最適な実装位置を人手で決定するのは時間が掛かってしまうという不都合があった。
【０００８】
［目的］
そこで、本発明は、上記従来の不都合を改善し、収納ケース内にサーバブレードなど各種ユニットを人手で増設する際に、搭載ルールに合致した正確な位置のスロットに迅速に実装させることを可能にするサーバシステムを提供することを、その目的とする。
【課題を解決するための手段】
【０００９】
上記目的を達成するため、本発明のサーバシステムは、複数のスロットを有する収納ケースと、この各スロットに個別に実装される１または２以上の種類のユニットとから成るサーバシステムであって、各ユニットは、各自の識別情報を含む装置情報を無線回線を介して収納ケース側へ送信する装置情報送信手段を備え、収納ケースは、予め定められた搭載ルール情報を記憶した搭載ルール記憶手段と、スロットに実装されようとしている実装対象ユニットから送信される装置情報を受信する装置情報受信手段と、この受信された装置情報と搭載ルール情報とに基づいて実装対象ユニットを実装可能なスロットを決定する管理手段と、この管理手段に決定されたスロット位置を表示する表示手段とを備えたことを特徴とする。
【００１０】
また、本発明の実装スロット案内方法は、複数のスロットを有する収納ケースと、この各スロットに個別に実装される１または２以上の種類のユニットとから成るサーバシステムにあって、スロットに実装されようとしている実装対象ユニットからの装置情報を無線回線を介して取得する装置情報取得ステップと、この取得した装置情報と予め記憶された搭載ルール情報とに基づいて実装対象ユニットを実装可能なスロット位置を決定する実装位置決定ステップと、この決定されたスロット位置を表示手段が表示する表示ステップとを設けたことを特徴とする。
【００１１】
次に、本発明の実装スロット案内用プログラムは、複数のスロットを有する収納ケースと、この各スロットに個別に実装される１または２以上の種類のユニットとから成るサーバシステムにあって、スロットに実装されようとしている実装対象ユニットから無線回線を介して装置情報を取得する装置情報取得機能と、この取得された装置情報と予め記憶された搭載ルール情報とに基づいて実装対象ユニットを実装可能なスロット位置を決定する実装位置決定機能と、この決定されたスロット位置を表示手段に表示させる表示機能とをコンピュータに実行させることを特徴とする。
【発明の効果】
【００１２】
本発明は以上のように構成されるため、これにより、収納ケースに各種ユニットを実装する際に搭載ルールに合致した実装可能なスロット位置を事前に決定して表示するので、作業員はその表示に従うことで迅速で確実な作業が可能となり、誤った位置のスロットへの実装による不具合は大幅に軽減されサーバシステムの安定性及び稼働率が向上する。
【発明を実施するための最良の形態】
【００１３】
以下、本発明における一実施形態を、図面を参照して説明する。
【００１４】
［第１実施形態］
図１は、本発明における第１の実施形態のサーバシステムの構成を示すブロック図である。図１に示すように、本第１実施形態のサーバシステムは、サーバブレード２，冷却ファンユニット３，電源ユニット４の各ユニットと共に、この各ユニットが個別に実装される複数のスロット１０１〜１２４，２０１〜２１２，３０１〜３０４を有する収納ケース１を備えたブレードサーバである。
【００１５】
サーバブレード２は、サーバの機能を実現する構成要素を備えている。冷却ファンユニット３は、収納ケース１内に実装されたサーバブレード２へ冷却風を供給する機能を実現する構成要素を備えている。電源ユニット４は、収納ケース１内に実装されたサーバブレード２及び冷却ファンユニット３に電力を供給する機能を実現する構成要素を備えている。サーバブレード２，冷却ファンユニット３，電源ユニット４の各ユニットは、収納ケース１のスロット１０１〜１２４，２０１〜２１２，３０１〜３０４に抜き差し可能な構成である。
【００１６】
また、サーバブレード２，冷却ファンユニット３，電源ユニット４の各ユニットそれぞれは、自機を識別する情報である固有の装置情報を保持しており、この装置情報を無線回線を介して収納ケース１側へ送信する装置情報送信手段２１，３１，４１をそれぞれが備えている。この装置情報は、ユニットの種類，電源容量，障害履歴などを含む固有の情報である。
【００１７】
さらに、本第１実施形態における収納ケース１は、新たに収納ケース１内に実装されようとしている実装対象ユニットから送信される装置情報を無線回線を介して受信する装置情報受信手段１２と、この装置情報受信手段１２に受信された装置情報に基づいて実装対象ユニットの適正な実装位置であるスロットを決定する管理手段１１と、この管理手段１１に決定されたスロットの位置を表示する表示手段４０１〜４２４，５０１〜５１２，６０１〜６０４とを備え、表示手段４０１〜４２４，５０１〜５１２，６０１〜６０４と管理手段１１とを接続すると共にスロット１０１〜１２４，２０１〜２１２，３０１〜３０４に実装されたユニットと管理手段１１とを接続するミッドプレーン１３と、管理手段１１内の情報を外部装置から読み書きするために外部装置と接続する外部装置接続手段１４とを、備えて構成されている。
【００１８】
サーバブレード２，冷却ファンユニット３，電源ユニット４の各ユニットが備えている装置情報送信手段２１，３１，４１と収納ケース１が備えている装置情報受信手段１２との間の通信は、例えば、ＲＦＩＤ（Radio Frequency Identification）による非接触通信であればよい。この場合、各ユニットが装置情報送信手段２１，３１，４１としてＩＣタグを備え、収納ケース１が装置情報受信手段１２としてタグリーダを備えていればよい。
【００１９】
ミッドプレーン１３は、表示手段４０１〜４２４，５０１〜５１２，６０１〜６０４、及びスロット１０１〜１２４，２０１〜２１２，３０１〜３０４それぞれに装填されたサーバブレード２，冷却ファンユニット３，電源ユニット４の各ユニットと、管理手段１１とを接続するためのコネクタ群を備えた基板であり、中央コネクタの役割を担うものである。
【００２０】
図２は、本第１実施形態における収納ケース１の構成を示すブロック図である。本第１実施形態における収納ケース１は、サーバブレード２を実装するための２４個のサーバ用スロット１０１〜１２４と、冷却ファンユニット３を実装するための１２個のファン用スロット２０１〜２１２と、電源ユニット４を実装するための４個の電源用スロット３０１〜３０４とを有しており、サーバ用スロット１０１〜１２４のそれぞれに対応して設けられた表示手段４０１〜４２４と、ファン用スロット２０１〜２１２それぞれに対応して設けられた表示手段５０１〜５１２と、電源用スロット３０１〜３０４それぞれに対して設けられた表示手段６０１〜６０４とを備えている。
【００２１】
図３及び図４は、本第１実施形態のサーバシステムの一例を示す外観図である。
【００２２】
図３は、本第１実施形態のサーバシステムの前面からの外観図であり、サーバブレード２の一例として３種類のサーバ（Ａ）２０−１，サーバ（Ｂ）２０−２，サーバ（Ｃ）２０−３を収納ケース１に実装する場合について示している。
【００２３】
図３に示すように、収納ケース１は、その前面に、サーバ（Ａ）２０−１，サーバ（Ｂ）２０−２，サーバ（Ｃ）２０−３を実装するための２４個のサーバ用スロット１０１〜１２４を配置しており、サーバ用スロット１０１〜１２４の挿入口の上部にそれぞれに対応して表示手段４０１〜４２４を装備している。
【００２４】
図４は、本実施形態のサーバシステムの後面からの外観図であり、図４に示すように、収納ケース１は、その後面に、冷却ファンユニット３を実装するための１２個のファン用スロット２０１〜２１２と、電源ユニット４を実装するための４個の電源用スロット３０１〜３０４とを配置しており、ファン用スロット２０１〜２１２の上部にそれぞれに対応して表示手段５０１〜５１２を装備し、電源用スロット３０１〜３０４の上部にそれぞれに対応して表示手段６０１〜６０４を装備している。
【００２５】
図５及び図６は、上述した収納ケース１が備えているスロット１０１〜１２４，２０１〜２１２，３０１〜３０４に付与されるスロット番号の設定の一例を示す図である。
【００２６】
図５に示すように、サーバ用スロット１０１〜１２４に付与するスロット番号は収納ケース１の前面に向かって左上のスロットから縦に（１），（２），・・・，（２４）とする。
【００２７】
図６に示すように、ファン用スロット２０１〜２１２に付与するスロット番号は収納ケース１の後面に向かって右上から縦に（１），（２），・・・，（１２）とし、電源用スロット３０１〜３０４に付与するスロット番号は、収納ケース１の後面に向かって右から（１），（２），（３），（４）とする。
【００２８】
本第１実施形態における管理手段１１は、図２に示すように、サーバブレード２，冷却ファンユニット３，電源ユニット４を収納ケース１に実装する際のルールを示す搭載ルール情報を予め記憶した搭載ルール記憶手段１１Ａを備えており、装置情報受信手段１２に受信された実装対象ユニットの装置情報と搭載ルール記憶手段１１Ａに記憶された搭載ルール情報とに基づいて、実装対象ユニットを実装可能なスロットを決定すると共に、この決定したスロット位置を表示させるための表示制御信号５２を対応する表示手段へ出力する機能を備えている。
【００２９】
また、管理手段１１は、ミッドプレーン１３のコネクタにユニットが接続されたか否かを検知することで、各スロットにユニットが実装されたか否かを検知し、ユニットが実装されたスロットを実装済みスロットと判定し、実装済みスロットに対応する表示手段に実装済みを示す情報を表示させるための表示制御信号５２を出力する機能を備えている。
【００３０】
図７は、上述した搭載ルール記憶手段１１Ａに記憶された搭載ルール情報の一例を示す図である。図７に示す搭載ルール（ａ）は、サーバブレード２，冷却ファンユニット３，電源ユニット４の実装位置の規定である。
【００３１】
図７に示す搭載ルール（ａ）の［条件１］では、サーバ用スロット（１）１０１〜（６）１０６にサーバブレード２を実装してシステムを稼動させるためには、電源用スロット（１）３０１に電源ユニット４を実装した上で冷却ファンユニット３をファン用スロット（１）２０１〜（３）２０３に実装する必要があることを示す。すなわち、電源用スロット（１）３０１に電源ユニット４が実装されていない場合は、冷却ファンユニット２０をファン用スロット（１）２０１〜ファン用スロット（３）２０３に実装できず、サーバブレード２をサーバ用スロット（１）１０１〜（６）１０６に実装できないことを示している。搭載ルール（ａ）の［条件２］，［条件３］，［条件４］についても同様である。
【００３２】
搭載ルール（ｂ）は、図３に示す３種類のサーバ（Ａ）２０−１，サーバ（Ｂ）２０−２，サーバ（Ｃ）２０−３をサーバ用スロット（１）１０１〜（２４）１２４に実装する場合の搭載条件と、冷却ファンユニット３をファン用スロット（１）２０１〜（１２）２１２に実装する場合の搭載条件と、電源ユニット４を電源用スロット（１）３０１〜（４）３０４に実装する場合の搭載条件とを示している。
【００３３】
搭載ルール（ｂ）の［条件１］は、サーバブレード２，冷却ファンユニット３，電源ユニット４を最適な状態で実装するための実装順序を示し、搭載ルール（ｂ）の［条件２］は、サーバブレード２，冷却ファンユニット３，電源ユニット４を実装するために使用するスロットの数を示し、搭載ルール（ｂ）の［条件３］は、サーバブレード２，冷却ファンユニット３，電源ユニット４を実装する際の制限事項を示している。
【００３４】
本第１実施形態における表示手段４０１〜４２４，５０１〜５１２，６０１〜６０４は、管理手段１１からの表示制御信号５２に応じて点灯／消灯及び点灯時の色を切り替える機能を備えている。
【００３５】
図８は、上述した表示手段４０１〜４２４，５０１〜５１２，６０１〜６０４の表示設定の一例を示す図である。
【００３６】
表示手段４０１〜４２４，５０１〜５１２，６０１〜６０４は、管理手段１１から表示制御信号５２を受信することで、対応するスロットの状態を示すように消灯／点灯及び色を変化する。図８に示すように、本第１実施形態における表示手段４０１〜４２４，５０１〜５１２，６０１〜６０４は、例えば、対応するスロットが、既にユニットが実装されているスロットの場合には緑色に点灯し、新規の実装対象ユニットを実装するのに最適なスロットとされた場合には青色に点灯し、新規の実装対象ユニットを実装するのが可能なスロットとされた場合には黄色に点灯し、実装不可能なスロット又は故障中のスロットの場合には赤色に点灯し、これ以外で未実装のスロットの場合には消灯する。
【００３７】
図９に示すような実装状態で、作業者が新たにサーバブレード２，冷却ファンユニット３，電源ユニット４のいずれかを実装する場合のシステムの動作について説明する。
【００３８】
図９に示すようなユニット実装状態においては、サーバブレード２を実装済みのサーバ用スロット（１）１０１〜（８）１０８，（１０）１１０に対応する表示手段４０１〜４０８，４１０は緑色に点灯し、冷却ファンユニット３を実装済みのファン用スロット（１）２０１〜（６）２０６に対応する表示手段５０１〜５０６は緑色に点灯し、電源ユニット４を実装済みの電源用スロット（１）３０１，（２）３０２に対応する表示手段６０１，６０２は緑色に点灯している。ここで、図７に示す搭載ルール（ａ）に従うと、サーバ用スロット（１３）１１３〜（２４）１２４と、ファン用スロット（７）２０７〜（１２）２１２は使用できないため、サーバ用スロット（１３）１１３〜（２４）１２４とファン用スロット（７）２０７〜（１２）２１２に対応する表示手段４１３〜４２４，５０７〜５１２は赤色に点灯し、その他のサーバ用スロット（９）１０９，（１１）１１１，（１２）１１２についてはこの段階では状態が確定していないため対応する表示手段４０９，４１１，４１２は消灯している。また、電源ユニット４を実装していない電源用スロット（３）３０３，（４）３０４に対応する表示手段６０３，６０４も消灯している。
【００３９】
図９に示す状態で作業者が新たにサーバ（Ａ）を実装しようとした時は、図７に示す搭載ルール（ａ）及び搭載ルール（ｂ）の［条件２］に従うと、サーバ用スロット（９）１０９，（１１）１１１，（１２）１１２が実装可能なスロットとなり、搭載ルール（ｂ）の［条件１］に従うと、サーバ用スロット（９）１０９が最適なスロットとなる。よって、最適なスロットであるサーバ用スロット（９）１０９に対応する表示手段４０９は青色に点灯し、その他の実装可能なスロットであるサーバ用スロット（１１）１１１，（１２）１１２に対応する表示手段４１１，４１２は黄色に点灯する。
【００４０】
そして、作業者が表示手段の表示に従って最適なサーバ用スロット（９）１０９にサーバ（Ａ）を実装し、サーバシステムが正常に動作すればサーバ用スロット（９）１０９に対応する表示手段４０９は緑色に変化する。
【００４１】
図９に示す状態で作業者が新たにサーバ（Ｂ）を実装しようとした時は、図７に示す搭載ルール（ａ）及び搭載ルール（ｂ）の［条件２］に従うと、サーバ用スロット（９）１０９，（１１）１１１，（１２）１１２が実装可能なスロットの候補であるが、搭載ルール（ｂ）の［条件３］に従ってサーバ用スロット（１１）１１１，（１２）１１２が実装可能なスロットとなり、搭載ルール（ｂ）の［条件１］に従うとサーバ用スロット（１１）１１１が最適なスロットとなる。よって、最適なスロットであるサーバ用スロット（１１）１１１に対応する表示手段４１１は青色に点灯し、その他の実装可能なスロットであるサーバ用スロット（９）１０９に対応する表示手段４０９は黄色に点灯し、実装不可能なスロットであるサーバ用スロット（１２）１１２に対応する表示手段４１２は赤色に点灯する。
【００４２】
そして、作業者が表示手段の表示に従い最適なサーバ用スロット（１１）１１１にサーバ（Ｂ）を実装し、サーバシステムが正常に動作すればサーバ用スロット（１１）１１１に対応する表示手段４１１は緑色に変化する。
【００４３】
図９に示す状態で作業者が新たにサーバ（Ｃ）を実装しようとした時は、図７に示す搭載ルール（ａ）及び搭載ルール（ｂ）の［条件１］，［条件２］，［条件３］に従うと、サーバ用スロット（９）１０９とサーバ用スロット（１２）１１２との組み合わせが最適なスロットとなる。よって、最適なスロットであるサーバ用スロット（９）１０９及び（１２）１１２に対応する表示手段４０９，４１２が青色に点灯し、実装不可能なスロットであるサーバ用スロット（１１）１１１に対応する表示手段４１１は赤色に点灯する。
【００４４】
そして、作業者が表示手段の表示に従い最適なサーバ用スロット（９）１０９及び（１２）１１２にサーバ（Ｃ）を実装し、サーバシステムが正常に動作すればサーバ用スロット（９）１０９及び（１２）１１２に対応する表示手段４０９，４１２は緑色に変化する。
【００４５】
図９に示す状態で作業者が新たに冷却ファンユニット３を実装しようとした時は、図７に示す搭載ルール（ａ）及び搭載ルール（ｂ）に従うと、ファン用スロット（７）２０７が最適なスロットとなってファン用スロット（７）２０７に対応する表示手段５０７が青色に点灯し、ファン用スロット（８）２０８及び（９）２０９に対応する表示手段５０８，５０９は黄色に点灯する。
【００４６】
そして、作業者が表示手段５０７の表示に従い冷却ファンユニット３をファン用スロット（７）２０７に実装しシステムが正常に動作すればファン用スロット（７）２０７に対応する表示手段５０７は緑色に変化して点灯する。
【００４７】
図９に示す状態で作業者が新たに電源ユニット４を実装しようとする時は、図７に示す搭載ルール（ａ）及び搭載ルール（ｂ）に従って、電源用スロット（３）３０３が最適なスロットとなって電源用スロット（３）３０３に対応する表示手段６０３が緑色に点灯し、電源用スロット（４）３０４に対応する表示手段６０４は黄色に点灯する。
【００４８】
そして、作業者が表示手段６０３の表示に従い電源ユニット４を電源用スロット（３）３０３に実装しシステムが正常に動作すれば電源用スロット（３）３０３に対応する表示手段６０３は緑色に変わる。
【００４９】
その他に、故障しているスロットに対応する表示手段は赤色に点灯する。また、故障したサーバブレード２を実装しようとした場合や、新たにサーバブレード２を実装することによって収納ケース１内の電源容量が不足することになる場合や、サーバブレード２を実装することによって収納ケース１内の冷却性能が不足することになる場合は全ての未実装スロットに対応する表示手段が赤色に点灯する。故障した冷却ファンユニット３，電源ユニット４を実装しようとした場合も同様である。
【００５０】
このように本第１実施形態のサーバシステムにおいては、収納ケース１に実装するサーバブレード２，冷却ファンユニット３，電源ユニット４の各ユニットに固有な個体情報，障害履歴などの装置情報が保持されており、収納ケース１は、その装置情報をユニットを実装する前に読み込むことができる仕組みを有している。各種ユニットを収納ケース１のスロットに実装しようとした時、新たに取り付けようとするユニットを収納ケース１に近づけると装置情報受信手段１２は実装しようとしているユニットの装置情報を装置情報送信手段２１を通じて読み出す。読み出した装置情報は管理手段１１に送られ、既に搭載済みのユニットと増設しようとするユニットの種類，電源容量，冷却条件などを基に実装しようとしているユニットの最適な実装位置であるスロットを決定してその結果を表示手段４０１〜４２４，５０１〜５１２，６０１〜６０４に表示させる。また、冷却が十分できない又は電源容量が不足する場合や障害品，サポート外のユニットを実装しようとした場合は、ユニットを実装できないことを表示手段４０１〜４２４，５０１〜５１２，６０１〜６０４に表示させる。
【００５１】
次に、本第１実施形態のサーバシステムの動作について説明する。ここで、以下の動作説明は、本発明の実装スロット案内方法の実施形態となるので、この実装スロット案内方法の各ステップを対応する動作の記述と共に記す。
【００５２】
図１０は、本第１実施形態のサーバシステムの動作を示すフローチャートである。まず、作業者が、新たに実装するサーバブレード２，冷却ファンユニット３，電源ユニット４のいずれかを、収納ケース１の一定の距離に近づけると、この新たに実装されようとしているユニットに装備された装置情報送信手段２１，３１，４１が、自機に関する装置情報を収納ケース１の装置情報受信手段１２に対して無線で送信する。
【００５３】
収納ケース１の装置情報受信手段１２が、装置情報を受信し、これを装置情報信号５１として管理手段１１に送る（図１０のステップＳ１，新規装置情報取得ステップ）。
【００５４】
続いて、装置情報を取得した管理手段１１が、この取得した装置情報と搭載ルール記憶手段１１Ａに予め記憶された搭載ルール情報とに基づいて、取得した装置情報に係るユニットを実装するのに最適なスロットと実装可能な全てのスロットとを決定する（図１０のステップＳ２，実装位置決定ステップ）。
【００５５】
図２に示すように、管理手段１１と表示手段４０１〜４２４，５０１〜５１２，６０１〜６０４とはミッドプレーン１３を介して接続されており、管理手段１１が、搭載ルール記憶手段１１Ａに記憶された搭載ルール情報に従い表示手段４０１〜４２４，５０１〜５１２，６０１〜６０４に対して表示手段制御信号５２を出力する。管理手段１１から出力された表示手段制御信号５２を受信した表示手段４０１〜４２４，５０１〜５１２，６０１〜６０４は、表示手段制御信号５２に基づいて点灯または消灯する（図１０のステップＳ３，表示ステップ）。
【００５６】
表示手段４０１〜４２４，５０１〜５１２，６０１〜６０４の表示に従って作業者がサーバブレード２，冷却ファンユニット３，電源ユニット４のいずれかを、スロット１０１〜１２４，２０１〜２１２，３０１〜３０４のいずれかに実装すると、ミッドプレーン１３のコネクタにユニットが接続されて実装信号５３が出力され、実装信号５３を受信した管理手段１１がユニットが実装されたことを検知する（図１０のステップＳ４，実装済みスロット検出ステップ）。
【００５７】
管理手段１１が、実装済みスロットに対応する表示手段に対して表示手段制御信号５２を送りその表示手段を緑色に点灯させる（図１０のステップＳ５，実装済み情報表示ステップ）。
【００５８】
このように本第１実施形態のサーバシステムは、複数のスロット１０１〜１２４，２０１〜２１２，３０１〜３０４にサーバブレード２，冷却ファンユニット３，電源ユニット４の各ユニットを実装する場合、実装前にそのユニットに保持された装置情報を読み取り、その装置情報から実装対象ユニットの最適な実装位置であるスロットを決定して、決定されたスロットに対応した位置に取り付けられた表示手段４０１〜４２４，５０１〜５１２，６０１〜６０４のいずれかが青色に点灯することを特徴とする。
【００５９】
搭載ルール情報に基づくユニットの最適な実装位置は、ユニットの種類，各ユニット間の接続条件，電源容量，冷却条件などにより異なるが、本第１実施形態では、管理手段１１がそれらを実装前に取得し最適な実装位置のスロットを決定することが可能となる。
【００６０】
本第１実施形態のサーバシステムは、サーバブレード２，冷却ファンユニット３，電源ユニット４の各ユニットを収納ケース１のスロットに実装する際にルールに基づく実装可能位置を事前に決定して表示するので、作業員はその表示に従うことで迅速で確実な作業が可能となり、誤った位置のスロットへの実装による不具合は大幅に軽減されサーバシステム全体の安定性の向上，稼働率の向上が期待できる。
【００６１】
さらに、本第１実施形態のサーバシステムは、サーバブレード２等のユニットをスロットに実装する前に、実装対象ユニットの装置情報を読み取ることができるため、実装後にユニットの装置情報を読み出していた従来に比べて作業時間（保守時間）の短縮が可能となり稼働率の向上も期待できる。
【００６２】
［第２実施形態］
次に、本発明における第２の実施形態について説明する。
【００６３】
本第２実施形態のサーバシステムは、図１及び２に示す第１実施形態と同様の構成要素を備えているが、本第２実施形態における管理手段１１は、作業者がサーバブレード２，冷却ファンユニット３，電源ユニット４のいずれかのうち複数のユニットを同時に実装しようとした時に、搭載ルール情報に基づいて実装位置と共に実装順序を決定する機能を備え、表示手段４０１〜４２４，５０１〜５１２，６０１〜６０４は、この管理手段１１の決定に応じて、新規に実装する各ユニットの実装位置と実装順序とを表示する機能を備えている。
【００６４】
本第２実施形態における管理手段１１は、複数の実装対象ユニット全ての装置情報を取得し搭載ルール情報に基づいて最適な実装順序と最適な実装位置を決定し、決定した内容を表示させるための表示制御信号を表示手段４０１〜４２４，５０１〜５１２，６０１〜６０４へ出力する機能を備えている。
【００６５】
図１１は、本第２実施形態における表示手段４０１〜４２４，５０１〜５１２，６０１〜６０４の一例を示す外観図である。図１１に示すように、本第２実施形態における表示手段４０１〜４２４，５０１〜５１２，６０１〜６０４は、図８に示すように色が変化するランプ１１１と、対応するスロットの状況を文字で表示する状態表示部１１２と、実装順序を表示する順序表示部１１３と、対応するスロットに実装すべきユニットの装置番号を表示する実装装置表示部１１４を有している。装置番号は各ユニットに対して固有であり全てのユニットで異なる番号を設定する。
【００６６】
例えば、図９に示すような実装状態で、電源ユニット４→冷却ファンユニット３→サーバブレード２という実装順序のルールが搭載ルール記憶手段１１Ａに記憶されている場合、作業者が電源ユニット４を１台，冷却ファンユニット３を３台，サーバ（Ａ）１台を同時に準備し収納ケース１に近づけると、電源用スロット（３）３０３に対応する表示手段６０３が、１番に実装することを表示し、同時に新たに実装する電源ユニット４の装置番号を表示する。ファン用スロット（７）２０７，（８）２０８，（９）２０９に対応する表示手段５０７〜５０９が、２，３，４番目に実装することを表示し、同時に新たに実装する冷却ファンユニット３の装置番号をそれぞれ表示する。サーバ用スロット（９）１０９に対応する表示手段４０９が、５番目に実装することを表示し、同時に実装するサーバ（Ａ）の装置番号を表示する。
【００６７】
これにより、複数のユニットを同時に実装する場合に、各ユニットの実装順序と実装位置を的確に作業者に伝えることができる。
【００６８】
ここで、上述した本第１及び第２実施形態における管理手段１１については、その機能内容をプログラム化してコンピュータに実行させるように構成してもよい。
【００６９】
また、本発明は、第１および第２実施形態のような、サーバブレード２，冷却ファンユニット３，電源ユニット４の３種類のユニットを収納ケース１に抜き差し可能な構成としたブレードサーバに限らず、１又は２以上の種類のユニットを収納ケース内のスロットに装填するような構成のブレードサーバ等に適用することができる。
【図面の簡単な説明】
【００７０】
【図１】本発明における第１実施形態のサーバシステムの全体の構成を示すブロック図である。
【図２】図１に示す実施形態における収納ケースの構成を示すブロック図である。
【図３】図１に示す実施形態のサーバシステムの一例を示す外観図である。
【図４】図１に示す実施形態のサーバシステムの一例を示す外観図である。
【図５】図１に示す実施形態における収納ケースの各スロットに設定されたスロット番号を示す図である。
【図６】図１に示す実施形態における収納ケースの各スロットに設定されたスロット番号を示す図である。
【図７】図２に示す実施形態における搭載ルール記憶手段に記憶された搭載ルール情報を示す図である。
【図８】図１に示す実施形態における表示手段の状態とその条件内容とを示す図である。
【図９】図１に示す実施形態のサーバシステムの実装状況の一例を示す図である。
【図１０】図１に示す実施形態のサーバシステムの動作を示すフローチャートである。
【図１１】本発明における第２実施形態における表示手段の一例を示す図である。
【符号の説明】
【００７１】
１  収納ケース
２  サーバブレード
２−１  サーバ（Ａ）
２−２  サーバ（Ｂ）
２−３  サーバ（Ｃ）
３  冷却ファンユニット
４  電源ユニット
１１  管理手段
１１Ａ  搭載ルール記憶手段
１２  装置情報受信手段
１３  ミッドプレーン
１４  外部装置接続手段
２１，３１，４１  装置情報送信手段
１０１〜１２４  サーバ用スロット
２０１〜２１２  ファン用スロット
３０１〜３０４  電源用スロット
４０１〜４２４，５０１〜５１２，６０１〜６０４  表示手段
【図１】
2009187123.tif 000003
【図２】
2009187123.tif 000004
【図３】
2009187123.tif 000005
【図４】
2009187123.tif 000006
【図５】
2009187123.tif 000007
【図６】
2009187123.tif 000008
【図７】
2009187123.tif 000009
【図８】
2009187123.tif 000010
【図９】
2009187123.tif 000011
【図１０】
2009187123.tif 000012
【図１１】
2009187123.tif 000013